(57)【要約】【課題】小口径のます本体であっても真空弁の取付け、取外しを容易に行うことが可能な真空弁付き汚水ますを提供する。【解決手段】縦長の有底筒状のます本体の中間部側壁に、住居内にて発生した汚水が流れ込む汚水配管の端部が接続される接続部が設けられ、このます本体の上方内部に、真空弁がます本体内部に装着された支持具にます本体外部から取外し可能に取付けられ、この真空弁の吸込み側接続部が鉛直下方に屈曲されて、ます本体内部に取付けられた吸込み管とゴム輪受口接合で接続され、前記真空弁の吐出側接続部がます本体外部からの手作業で、真空下水管路と分離可能に接合されていることを特徴とする。【選択図】　図１
2004052412.tif 000002
【特許請求の範囲】
【請求項１】
縦長の有底筒状のます本体の中間部側壁に、住居内にて発生した汚水が流れ込む汚水配管の端部が接続される接続部が設けられ、このます本体の上方内部に、真空弁がます本体内部に装着された支持具にます本体外部から取外し可能に取付けられ、この真空弁の吸込み側接続部が鉛直下方に屈曲されて、ます本体内部に取付けられた吸込み管とゴム輪受口接合で接続され、前記真空弁の吐出側接続部がます本体外部からの手作業で、真空下水管路と分離可能に接合されていることを特徴とする真空弁付き汚水ます。
【請求項２】
縦長の有底筒状のます本体の中間部側壁に、住居内にて発生した汚水が流れ込む汚水配管の端部が接続される接続部が設けられ、このます本体の上方内部に、真空弁がます本体内部に装着された支持具にます本体外部から取外し可能に取付けられ、この真空弁の吸込み側接続部および吐出側接続部が鉛直下方に屈曲され、屈曲された吸込み側接続部とます本体内部に取付けられた吸込み管とがゴム輪受口接合で接続され、屈曲された吐出側接続部とます本体内に垂直に設置された真空下水管路とがゴム輪受口接合で接続されていることを特徴とする真空弁付き汚水ます。
【発明の詳細な説明】
【０００１】
【発明の属する技術分野】
本発明は真空式下水道システムにおいて使用される真空弁付き汚水ますに関する。
【０００２】
【従来の技術】
従来の自然流下方式の下水道システムに代えて、真空力を利用して汚水ますに溜まった汚水を吸引収集する所謂、真空式下水道システムが採用されつつある。この真空式下水道システムは、一定地域の家庭、商店、事務所、工場等から排出される汚水を近くに設置された真空弁付き汚水ますに溜め、各汚水ますは真空下水管により真空ステーションに連通し、真空下水管に印加した真空圧により末端の汚水ますで汚水と空気とを順に吸い込み、汚水前方の真空圧と汚水後方の吸引空気圧との圧力差を利用して、汚水を気液混送流として搬送するシステムである。真空ステーションの集水タンクに搬送された汚水は、圧送ポンプによって下水処理場に送られて処理される。
【０００３】
そして、この真空式下水道システムで使用されている真空弁付き汚水ますとしては、汚水の貯留量を確保する必要から、ＦＲＰ製の１号または２号マンホール程度の大型のものが使用されていた。
しかし、大型の汚水ますであると、真空弁の点検調整や補修を汚水ます内で行うことが可能であるが、設備費用が高くつくと共に、狭い路地や宅地内に設置することができないという欠点があった。
【０００４】
そこで、本発明の発明者は、小口径で安価な汚水ますとするため、口径が３００〜３５０ｍｍの円筒体を汚水ますとして使用可能とすることを考え、特開２００１−３２３６０号公報に記載の、Ｌ型の真空弁として小口径の汚水ます内に真空弁を設置可能とすることや特開２００２−８８９０１号公報に記載の、汚水ますへの流入管の口径を大きくすることで、汚水の貯留量を確保することを考えた。
【０００５】
【発明が解決しようとする課題】
しかし、その後、製品化に向けて開発を進める中で、前記特開２００１−３２３６０号公報および特開２００２−８８９０１号公報に記載の真空弁付き汚水ますにおいては、ます本体の口径が小さいことに起因して、真空弁の取付け作業や真空弁が故障した場合の補修作業が困難となるという問題点が浮かび上がってきた。
【０００６】
本発明は、口径が比較的小さい真空弁付き汚水ますにおいても、真空弁の取付け、取外しを比較的容易に行うことが可能で、設備費用が安く、狭小地にも設置可能で、補修作業も容易に行える真空弁付き汚水ますを提供することを目的とする。
【０００７】
【課題を解決するための手段】
請求項１記載の発明である真空弁付き汚水ますは、縦長の有底筒状のます本体の中間部側壁に、住居内にて発生した汚水が流れ込む汚水配管の端部が接続される接続部が設けられ、このます本体の上方内部に、真空弁がます本体内部に装着された支持具にます本体外部から取外し可能に取付けられ、この真空弁の吸込み側接続部が鉛直下方に屈曲されて、ます本体内部に取付けられた吸込み管とゴム輪受口接合で接続され、前記真空弁の吐出側接続部がます本体外部からの手作業で、真空下水管路と分離可能に接合されていることを特徴とするものである。
【０００８】
また、請求項２記載の発明である真空弁付き汚水ますは、縦長の有底筒状のます本体の中間部側壁に、住居内にて発生した汚水が流れ込む汚水配管の端部が接続される接続部が設けられ、このます本体の上方内部に、真空弁がます本体内部に装着された支持具にます本体外部から取外し可能に取付けられ、この真空弁の吸込み側接続部および吐出側接続部が鉛直下方に屈曲され、屈曲された吸込み側接続部とます本体内部に取付けられた吸込み管とがゴム輪受口接合で接続され、屈曲された吐出側接続部とます本体内に垂直に設置された真空下水管路とがゴム輪受口接合で接続されていることを特徴とするものである。
【０００９】
（作用）
請求項１記載の発明においては、縦長の有底筒状のます本体の中間部側壁に、住居内にて発生した汚水が流れ込む汚水配管の端部が接続される接続部が設けられて汚水ますとなされているので、小口径のますとなりコンパクトで、低コストなものとなる。
また、このます本体の上方内部に、真空弁がます本体内部に装着された支持具にます本体外部から取外し可能に取付けられているので、真空弁の吸込み側接続部および吐出側接続部との接合が分離可能であれば、真空弁を容易にます本体から取出すことができ、真空弁の点検や補修を地上で容易に行うことができる。
また、真空弁の吸込み側接続部が鉛直下方に屈曲されて、ます本体内部に取付けられた吸込み管とゴム輪受口接合で接続され、真空弁の吐出側接続部がます本体外部からの手作業で、真空下水管路と分離可能に接合されているので、真空弁と真空弁の吸込み側接続部および吐出側接続部との接合がます本体外部から手作業で分離可能であり、真空弁を容易にます本体内から取出すことができるものとなっている。
【００１０】
請求項２記載の発明においては、真空弁の吸込み側接続部および吐出側接続部が鉛直下方に屈曲され、屈曲された吸込み側接続部とます本体内部に取付けられた吸込み管とがゴム輪受口接合で接続され、屈曲された吐出側接続部とます本体内に垂直に設置された真空下水管路とがゴム輪受口接合で接続されているので、真空弁を支持具から取外して真空弁を引出すだけで真空弁を容易にます本体内から取出すことができる。
【００１１】
本発明で、ゴム輪受口接合とは、接続する管の一方の接続部に他方の管を差し込み可能な受口が形成され、この受口内に周方向に環状溝が設けられ、この環状溝にシ−ル用パッキングが装着されたゴム輪受口となされており、他方の管を差し込むことによりする摺動可能に水密接合できる接合方法であり、日本下水道協会規格ＪＳＷＡＳ　Ｋ−１（下水道用硬質塩化ビニル管）等に規格化されている接合方法と同等の接合方法を意味する。
【００１２】
本発明では、真空弁の吸込み側接続部および吐出側接続部が鉛直下方に屈曲され、屈曲された吸込み側接続部とます本体内部に取付けられた吸込み管とがゴム輪受口接合で接続され、屈曲された吐出側接続部とます本体内に垂直に設置された真空下水管路とがゴム輪受口接合で接続されているが、ゴム輪受口が形成されるのは、真空弁側の屈曲された吸込み側接続部または屈曲された吐出側接続部であっても、吸込み管側または真空下水管路側であっても何方でもよい。接続された状態でゴム輪受口接合となされていればよい。
【００１３】
また、請求項１において、真空弁の吐出側接続部がます本体外部からの手作業で、真空下水管路と分離可能に接合されているが、この接合は、管路の接合で一般的に行われるユニオンナットによる接合であるのが好ましいが、ボルトナットによるフランジ接合であってもよい。
【００１４】
また、本発明においては、ます本体の上方内部に、真空弁がます本体内部に装着された支持具にます本体外部から取外し可能に取付けられている。
支持具はます本体内に差し渡される板状の台で、その両端部の取付け片がます本体内側壁にボルト止めされて取付けられているものが好ましい。この支持具上に真空弁が載置され、真空弁が支持具に固定されている。真空弁は、ます本体の外部から取付け、取外し可能に取り付けられていればよく、例えば、真空弁を適正な状態で支持具へ載置するための脚部が設けられ、この脚部を支持具にボルト止めするものであっても、真空弁を半円弧状の取付け具で支持具に押さえつけて取付け具の両端部を支持具にボルト止めするものであってもよい。真空弁を取外すには、ます本体外部からスパナなどでボルトを取外せばよい。
【００１５】
また、ます本体を小口径とするためには、真空弁の長さが短いことが好ましく、このためには真空弁として呼び口径が小さいものを使用することが好ましいが、汚水の吸込み性能を維持することも必要であり、このため呼び口径５０ｍｍの真空弁を使用するのが好ましい。
【００１６】
【発明の実施の形態】
以下、本発明の実施の形態を図面を参照して説明する。
図１は本発明の真空弁付き汚水ますの一実施例を一部を断面で示す側面図、図２は図１に示す実施例の変形例を示す一部を断面で示す側面図、図３は本発明の他の実施例を一部を断面で示す側面図である。
【００１７】
図１において、１はます本体で、硬質塩化ビニル樹脂製の縦長筒状体に底板が取り付けられて形成されている。底板は筒状体の底部に嵌合接着されるが、工具の落下等に対して破損を防止するため耐衝撃強度の大きな樹脂製とするのが好ましい。このます本体１の上端部には蓋１１が取り付けられ、中間部側壁には汚水配管１３が接続される接続部１２が設けられている。
【００１８】
２は真空弁、３は支持具、４は吸込み管、５は汚水の水位検知管、６は真空下水管路である。真空弁２は板状の支持具３に載置され、取付け具３１、３１で真空弁２の上方から押さえつけて取付け具３１の両端部を支持具３にボルト止めして固定されている。
【００１９】
真空弁２は呼び口径５０ｍｍの小口径弁が使用される。この真空弁２の吸込み側接続部２１が鉛直下方に向けて屈曲され、接続部２１の下端部分が直管となされてゴム輪受口接合の差し込み部２２となされ、吸込み管４の上端部に形成されているゴム輪受口４１に差し込まれて水密に接合されている。
また、真空弁の吐出側接続部２３はユニオンナット２４で真空下水管路６と接合されている。
【００２０】
吸込み管４は、ます本体１の内面に沿って取付け具４２、４２で取付け固定されている。真空弁２が開いて真空下水管路６内の真空圧が吸込み管４に印加すると、ます本体１内に溜まった汚水は真空下水管路６に吸い込まれるが、溜まった汚水を残らずに吸い込むために吸込み管４の下端はます本体１の底近くに位置されている。
【００２１】
水位検知管５は、ます本体１内に溜まる汚水の水位を検知するもので、ます本体１の底部近くに下端が位置するようにます本体２の内壁に沿って取付けられている。汚水の水位が上昇すると、水位検知管５内の空気圧が高くなり、真空弁２を開くための空気圧信号を真空弁２のコントローラ２５に伝達するものである。したがって、水位検知管４の上端部から空気圧をコントローラ２５に導くホース２６が接続されている。
また、コトローラ２５には、真空弁２の吐出側接続部２３から真空下水管路６内の真空を導くホース２７が接続され、コントローラ２５から真空弁２を作動させる真空圧を導くホース２８が接続されている。
【００２２】
また、真空下水管路６には仕切り弁６１がます本体１に近接して設置される。通常は弁箱を設置してその中に設置され、地上から弁箱の蓋を開けて弁の開閉操作ができるようになっている。この仕切り弁６１から先は集水タンクへ繋がる真空管路となっている。
この真空下水管路６は、汚水を気液混合流として搬送するため、呼び径７５ｍｍまたは呼び径１００ｍｍの管路であるのが好ましい。このため真空下水管路６は、仕切り弁６１の前または後ろで拡径変換継手により管路の口径が５０ｍｍから７５ｍｍまたは１００ｍｍに拡径されている。
【００２３】
真空弁２の作動は従来使用されているものと同様である。
汚水の水位が上がり、水位検知管５内の空気圧の上昇がコントローラ２５に与えられ、所定の圧力に達すると、コントローラ２５の作動により真空圧がホース２８を通じて真空弁２を開くように作用する。
これによります本体１内に溜まった汚水は真空下水管路６に吸い込まれ、ます本体１内の汚水の水位が下がる。吸込み管４の下端から空気を吸い込み始めるとコントローラ２５で設定された時間の後、真空弁２がばね力で閉じる。これにより、汚水と空気とが一定の割合で吸い込まれ、汚水が気液混送流として搬送とれる。この動作を繰り返して汚水を集水タンクに集水し、処理場へ搬送して処理する。
【００２４】
この真空式下水道システムにおいては、汚水中に含まれる固形物が真空弁２の閉弁作動時に弁と弁座との間に挟み込まれて、真空弁２が完全に閉鎖しないことが起こったり、周辺の真空弁付き汚水ますの真空弁２が複数同時に開いて汚水を吸い出すことにより、真空下水管路６の真空圧が低下して真空式下水道システムが正常に作動しなくなることがある。真空圧が低下すると、ます本体１内の汚水の水位が上昇する。この場合、監視センターでは真空圧の低下やます本体１内の水位上昇が異常情報として出力され、直ちに点検修理が行われる。
上記実施例では、真空弁２がます本体１外部から取外し可能に取付けられ、真空弁２の吸込み側接続部２１が鉛直下方に屈曲されて、吸込み管４のゴム輪受口４１に差し込まれて接合されているので、真空弁２の長さを短くして小口径のます本体１内への設置が可能となると共に、真空弁２の下方での吸込み管４との接合および取外しを真空弁２の取付け、取外しだけで行うことが可能となり、一時的に仕切り弁６１で真空下水管路６と遮断すれば、真空弁２をます本体１から取外して補修することが容易にできる。
【００２５】
図２に示す変形例では、図１に示す実施例と、仕切り弁６１がます本体１内に設置できるように、ます本体１の上部側壁に、膨出部１４を設けた例である。
この膨出部１４は、ます本体１の側壁に仕切り弁６１を収納設置可能な大きさの孔を開け、別に作成した膨出部１４を溶接や接着等で水密に取付ければよい。
【００２６】
この変形例においては、ます本体１の蓋１１を開けて、外部から仕切り弁６１の操作が可能であり、ます本体１に近接して弁箱を設置する必要がなくなり、真空下水管路６が簡略化できる。
【００２７】
図３に示す実施例は、請求項２に対応する実施例であって、図１に示す実施例とは、真空下水管路６の真空弁２との接続部がます本体１内に垂直方向に向けて設けられており、真空弁の吐出側接続部も鉛直下方に屈曲されて、ゴム輪受口接合されている点が相違する。仕切り弁６１は多少操作し難くなるが、ます本体１内の真空下水管路６に設置可能である。
この実施例においては、真空弁２と吸込み管４および真空下水管路６との接続が共にゴム輪受口接合であるため、真空弁２の支持具３への取付けを外すだけで真空弁２を取出すことができる。
また、仕切り弁６１をます本体１内に設置するので、縦長の有底筒状体の加工度を少なくしてます本体１として使用可能となり、より安価な汚水ますとなる。
【００２８】
なお、真空弁２を取外したあとでも、汚水はます本体１内に流入してくるので、応急手当てとして、真空弁２に代わる曲管を取付け、仕切り弁６１を手動で操作して、ます本体１に溜まる汚水を吸い出すこともできる。
【００２９】
【発明の効果】
本発明は上述した通りに構成されており、真空弁の吸込み側接合部が鉛直下方に屈曲されて、ます本体内部に取付けられた吸込み管とゴム輪受口接合で接続されているので、ます本体外部から、真空弁の取付け具を取外し、真空弁の吐出側接合部を取り外すことにより、真空弁を取出すことができ、真空弁の取付け、取外しが容易となり、真空弁付き汚水ますの維持管理が行い易いものとなる。
また、小口径の筒体でます本体を構成できるので、設備費が安く、狭小地にも設置可能な真空弁付き汚水ますとなる。
また、請求項２においては、真空弁の吸込み側接合部および吐出側接合部が鉛直下方に屈曲されて、吸込み管および真空下水管路とゴム輪受口接合で接続されているので、ます本体外部から、真空弁の取付け具を取外しただけで、真空弁を取出すことができる。
【図面の簡単な説明】
【図１】図１は本発明の真空弁付き汚水ますの一実施例を一部を断面で示す側面図である。
【図２】図１に示す実施例の変形例を示す一部を断面で示す側面図である。
【図３】本発明の他の実施例を一部を断面で示す側面図である。
【符号の説明】
１　　ます本体
１２　接続部
２　　真空弁
２１　吸込み側接続部
２３　吐出側接続部
２５　コントローラ
３　　支持具
４　　吸込み管
４１　ゴム輪受口
５　　水位検知管
６　　真空下水管路
６１　仕切り弁
【図１】
2004052412.tif 000003
【図２】
2004052412.tif 000004
【図３】
2004052412.tif 000005